(57)【要約】【課題】ボルト締付装置により、ボルト孔とボルトの軸芯とを一致させてボルトを確実に締結させること。【解決手段】本発明にかかるボルト締付装置１は、ワークに設けられたボルト孔１４にソケット２でボルト９を締め付ける。そして、ボルト締付装置１は、ソケット２の周囲に配置され、ソケット２が挿通されたスリーブ４と、スリーブ４の先端側４ａに設けられ、ボルト９の軸部９ｃを支持する軸支持部８と、を有する。本発明はこのような構成により、水平方向にボルトを締結する際に、ソケットで頭部が支持されたボルトの軸部を軸支持部で支持することにより、ボルトの軸芯とボルト孔の軸芯とを一致させることができる。このため、本発明は、ボルトを水平方向に確実に締結することができる。【選択図】図１
2016036893.tif 000002
【特許請求の範囲】
【請求項１】
ワークに設けられたボルト孔にソケットでボルトを締め付けるボルト締付装置であって、
前記ソケットの周囲に配置され、前記ソケットが挿通されたスリーブと、
前記スリーブの先端側に設けられ、前記ボルトの軸部を支持する軸支持部と、を有する、
ボルト締付装置。
【発明の詳細な説明】
【技術分野】
【０００１】
本発明は、ワークに設けられたボルト孔にソケットでボルトを締め付けるボルト締付装置に関するものである。
【背景技術】
【０００２】
エンジン本体の側面に取り付けられるカバー等は、複数箇所をボルトで締め付けることで固定される。水平方向へのボルトの締付は、ボルトが安定しないため、ボルトを締め付け工具で締め付ける前に、予め作業者の手作業によってボルトをボルト孔に仮締めすることが必要である。または、ボルトを安定させるために重量物であるエンジン本体のボルトの締め付け面を上向きにする必要がある。これに関連する発明として特許文献１に開示されたボルト締結支持装置がある。ボルト締結支持装置は、ボルト締め付け用のソケットと、ソケットに支持されているボルトとボルト孔との軸芯が一致するように形成されるボルト案内孔と、を有している。このような構成によりボルト締結支持装置は、ボルトの締め付け時に、ソケットにボルトを嵌めた状態で、ソケットをボルト案内孔に差し込むと、ソケットは軸方向以外の方向の動きが規制される。そして、ボルトは、ボルト案内孔にソケットを介して支持され、ボルト孔との軸芯が一致する。ボルト締結支持装置によると、水平方向にボルトを締め付ける際、ボルト案内孔でソケットの軸方向の動きを制限することで、ソケットに支持されたボルトは、ボルト孔に案内され、水平方向のボルトを締結することができる。
【先行技術文献】
【特許文献】
【０００３】
【特許文献１】特開2012-61589号公報
【発明の概要】
【発明が解決しようとする課題】
【０００４】
しかし、ソケットに頭部を保持されたボルトは重力により軸部の先端部が自重で下に向く場合があるという課題がある。また、ボルトをボルト孔に仮締めする場合は、頭部が自重で下がり、ボルトの軸芯とボルト孔の軸芯とがずれる場合がある。
【０００５】
本発明は、水平方向にボルトを締結する際に、ボルト孔とボルトの軸芯とを一致させてボルトを確実に締結させることができるボルト締付装置を提供することを目的とする。
【課題を解決するための手段】
【０００６】
本発明にかかるボルト締付装置は、ワークに設けられたボルト孔にソケットでボルトを締め付ける。そして、ボルト締付装置は、前記ソケットの周囲に配置され、前記ソケットが挿通されたスリーブと、前記スリーブの先端側に設けられ、前記ボルトの軸部を支持する軸支持部と、を有する。
【０００７】
本発明はこのような構成により、水平方向にボルトを締結する際に、ソケットで頭部が支持されたボルトの軸部を軸支持部で支持することにより、ボルトの軸芯とボルト孔の軸芯とを一致させることができる。このため、本発明は、ボルトを水平方向に確実に締結することができる。
【発明の効果】
【０００８】
本発明によると、ボルト締付装置により、ボルト孔とボルトの軸芯とを一致させてボルトを確実に締結させることができる。
【図面の簡単な説明】
【０００９】
【図１】第１実施形態図にかかるボルト締付装置を示した斜視図である。
【図２】ボルト締付装置でボルトを締結する様子を示した断面図である。
【図３】第２実施形態にかかるボルト締付装置でボルトを締結する様子を示した断面図である。
【図４】ボルト締付装置を示した斜視図である。
【図５】ボルト締付装置でボルトを締結する様子を示した断面図である。
【図６】第３実施形態にかかるボルト締付装置を示した断面図である。
【図７】従来のボルト締付装置の要部を示す断面図である。
【発明を実施するための形態】
【００１０】
以下、図面を参照して本発明にかかるボルト締付装置の実施形態について説明する。
【００１１】
［第１実施形態］
図１に示されるように、ボルト締付装置１は、ボルト９を締結するソケット２を有する。ボルト９は、例えば六角ボルトである。ソケット２の先端面２ａには、ボルトの頭部を保持する六角孔形状の保持部３が形成されている。ソケット２の後端部２ｂにはソケット２を回転させるための駆動軸（不図示）が接続されている。ソケット２の周囲にはスリーブ４が配置されている。スリーブ４は、円筒形であり内径はソケット２の外径よりやや大きい。即ち、スリーブ４にはソケット２が挿通され、ソケット２はスリーブ４内を摺動自在となっている。
【００１２】
スリーブ４の先端４ａ側の外周面には、ボルト９の軸部９ｃを支持する軸支持部８が設けられている。軸支持部８は、例えば金属板で形成され、軸芯Ｌ２（図２参照）から離間するように撓むことができる。軸支持部８は、スリーブ４の先端４ａから延在する板状のベース部５と、先端７ａが上方へ鈍角に折り曲げられて形成された舌部７を有している。ボルト９の軸部９ｃは、舌部７の先端７ａによって支持される。このとき、ボルト９の軸芯Ｌ１（図２参照）は、水平になるように支持される。
【００１３】
次に、ボルト締付装置１によるボルト９の締付方法について説明する。
【００１４】
図７に示されるように、スリーブ４内に配置されたボルト９を水平方向に形成されたボルト孔１４に螺入して被締結物（例えばエンジン本体）２０に締結対象物（例えばカバー）２１を締結する場合、ソケット２の軸芯とボルト孔１４の軸芯を一致させる。ここでは、頭部９ｂのの中心がソケット２の軸芯と一致するようにボルト９の頭部９ｂには、ソケット２の外径と同径のフランジ９ｄが形成されている。スリーブ４内にボルト９を配置した際に、軸支持部８が無いとスリーブ４内でボルト９の先端９ａが下を向くため、ボルト９は確実に締結されない場合がある。
【００１５】
そこで、図２に示されるように、ボルト締付装置１によってボルト９を締め付ける場合、スリーブ４内にボルト９を配置する。この際に、スリーブ４に軸支持部８が設けられているから、軸部９ｃが軸支持部８に支持されることにより、スリーブ４内でボルト９の軸芯Ｌ１とボルト孔１４の軸芯Ｌ２とが一致する。その後、ソケット２が前進すると、頭部９ｂが保持部３に嵌る。ソケット２がさらに前進すると、軸部９ｃは先端７ａを滑りながら軸部９ｃの先端９ａがボルト孔１４の入口１４ａに到達する。その後、ソケット２をネジ嵌め方向に回転させるとボルト９は、ボルト孔１４に螺入される。
【００１６】
螺入の途中でボルト９のフランジ９ｄは舌部７に接触する。ボルト９がさらにねじ込まれると、フランジ９ｄは舌部７の摺動面７ｂに接触し、軸支持部８を撓ませる。ボルト９がさらにねじ込まれ、フランジ９ｄが締結対象物２１の表面２１ａに当接すると、軸支持部８はボルト９の頭部９ｂに接触し撓んだ状態となっている。その後、ソケット２およびスリーブ４をボルト９から離間させると、軸支持部８は元の状態に復元する。これにより、ボルト止めが終了する。
【００１７】
上述したようにボルト締付装置１によると、ボルト９の軸部９ｃを軸支持部８で支持することにより、ボルト９の軸芯Ｌ１とボルト孔１４の軸芯Ｌ２とを一致させることができ、ボルト９を締結対象物２１に確実に締結することができる。
【００１８】
次に、ボルト締付装置１による他のボルトの締付方法について説明する。
【００１９】
図３に示されるように、水平方向に形成されたボルト孔１４にボルト９が仮止めされている状態からボルト９を締結する場合は、頭部９ｂの自重により頭部９ｂが下を向いた状態となる場合がある。
【００２０】
この状態でボルト締付装置１を前進させ、軸支持部８が下部にある状態でボルト締付装置１を前進させた場合、ボルト９の頭部９ｂが下がっているため、軸支持部８を軸部９ｃの下に回りこませようとすると抵抗が大きくなる。そこで、スリーブ４を例えば手で押さえて、軸支持部８が鉛直に立った状態を維持する（図４参照）。
【００２１】
この状態で、ボルト締付装置１ボルト９に接近させると、舌部７の先端７ａがボルト９の頭部９ｂの外周の一部に当接する。ボルト締付装置１をさらに前進させ、スリーブ４から手を離すと、舌部７の先端７ａがボルトの頭部９ｂの外周を滑る。このとき、ボルト９が先端７ａを避ける方向に動く。この際、軸支持部８が頭部９ｂから離れる方向に撓む。ボルト締付装置１をさらに前進させると、軸支持部８がさらに撓み、舌部７の先端７ａは頭部９ｂを乗り越える。その後、ベース部５および舌部７は元の形状に復元し、先端７ａは軸部９ｃに到達し、軸部１１を支持する。
【００２２】
図５に示されるように、先端７ａが頭部９ｂを乗り越える際に、軸支持部８の自重の影響により、軸支持部８が下部の位置に来るように回転する。この回転によって軸支持部８は軸部９ｃを下から支持し、頭部９ｂが持ち上げられる。
【００２３】
ボルト締付装置１をさらに前進させると、先端７ａが締結対象物２１の表面２１ａに当接し、スリーブ４の移動が止まる。この状態でボルト締付装置１をさらに前進させると、ソケット２がスリーブ４内を前進する。その後、頭部９ｂが保持部３に嵌る。その後、ソケット２をネジ嵌め方向に回転させるとボルト９は、ボルト孔１４に螺入される。その後は上述した第１実施形態の動作と同様である。
【００２４】
［第２実施形態］
第１実施形態にかかるボルト締付方法は、ボルト９を自動供給する場合に適用可能である。本実施形態で、上述した第１実施形態における構成要素と同一の部分は同一の符号を用い、重複する説明は適宜省略する。
【００２５】
図６に示されるように、ボルト締付装置３０が有するスリーブ３２は、軸芯Ｌ２がボルト孔１４の軸芯Ｌ１と一致するように配置され、かつ軸支持部８が下部に位置するように固定されている。スリーブ３２の上部にはボルト供給口３２ａが形成されている。ボルト供給口３２ａの上部にはボルト供給路３３が接続されている。ボルト供給路３３は上流側は鉛直で下流側はボルト供給口３２ａに合流するよう湾曲している。ボルト供給路３３の途中には上部から供給されるボルト９の落下を防止する第１のストッパ３４と第２のストッパ３５とが設けられている。
【００２６】
第１のストッパ３４と第２のストッパ３５とを交互に開閉するとボルト９が１本ずつ落下する。落下したボルト９は、ボルト供給口３２ａからスリーブ３２内に装填される。その後のボルト９の締結は、第１実施形態と同様である。ボルト９の締付後にボルト締付装置３０を他のボルト孔１４に移動させると、新たに供給されるボルト９を他のボルト孔１４に締結できる。
【００２７】
上述したように本実施形態にかかるボルト締付装置３０によると、複数のボルト９を連続的に複数のボルト孔１４に確実に締結することができる。
【符号の説明】
【００２８】
１…ボルト締付装置  ２…ソケット  ２ａ…先端面  ２ｂ…後端部  ３…保持部  ４…スリーブ  ４ａ…先端  ５…ベース部  ７…舌部  ７ａ…先端  ８…軸支持部  ９…ボルト  ９ａ…先端  ９ｂ…頭部  ９ｃ…軸部  ９ｄ…フランジ  １４…ボルト孔  １４ａ…入口  ２０…被締結物  ２１…締結対象物  ２１ａ…表面  ３０…ボルト締付装置  ３２…スリーブ  ３２ａ…ボルト供給口  ３３…ボルト供給路  ３４…第１のストッパ  ３５…第２のストッパ  Ｌ１、Ｌ２…軸芯  
【図１】
2016036893.tif 000003
【図２】
2016036893.tif 000004
【図３】
2016036893.tif 000005
【図４】
2016036893.tif 000006
【図５】
2016036893.tif 000007
【図６】
2016036893.tif 000008
【図７】
2016036893.tif 000009